(57)【特許請求の範囲】
【請求項１】
画像データと音声データの少なくとも一方を圧縮データとして圧縮する圧縮回路と、
主記憶デバイスと、
副記憶デバイスと、
前記主記憶デバイスに前記圧縮データの記録を行うメインＣＰＵと、
前記メインＣＰＵと同等の記録制御が可能に構成され、記録制御ソフトウェアの更新のために記録動作を停止する前記メインＣＰＵに代えて、前記副記憶デバイスに前記圧縮データを記録するサブＣＰＵと、を備え、
前記メインＣＰＵは、前記記録制御ソフトウェアの更新が終了すると、前記圧縮データを前記副記憶デバイスに記録しつつ、前記副記憶デバイスに記録された前記圧縮データを前記主記憶デバイスに対し、既に前記主記憶デバイスに記録されている前記圧縮データとの連続性を保って転送し、前記副記憶デバイスから前記主記憶デバイスへの転送が終わると、前記主記憶デバイスに前記圧縮データを記録することを特徴とする、録画装置。
【請求項２】
前記主記憶デバイス及び前記副記憶デバイスは、ＨＤＤまたは不揮発性メモリであることを特徴とする、請求項１に記載の録画装置。
【請求項３】
前記メインＣＰＵと前記主記憶デバイスに電源を供給する第１給電手段と、
前記サブＣＰＵと前記副記憶デバイスに電源を供給する第２給電手段と、を備えることを特徴とする、請求項１又は２に記載の録画装置。
【請求項４】
前記第２給電手段は、外部電源入力端子であり、前記サブＣＰＵと前記副記憶デバイスは外部電源から給電されることを特徴とする、請求項３に記載の録画装置。
【請求項５】
前記第２給電手段は、ＬＡＮ端子又はＵＳＢ端子であることを特徴とする、請求項３に記載の録画装置。
【請求項６】
前記第２給電手段は、バッテリーであることを特徴とする、請求項３に記載の録画装置。
【発明の詳細な説明】
【技術分野】
【０００１】
この発明は、記録動作を停止することなくソフトウェアの更新を行う事が可能な監視用の録画装置に関する。
【背景技術】
【０００２】
昨今、監視用の録画装置は監視カメラの映像を録画するだけではなく、様々な周辺装置の機能を取り込み高度で複雑な制御機能を有している。それらの機能の大部分は内部のソフトウェアで実現している場合が多いため、ソフトウェアの果たす役割は非常に高い。それゆえ、既に稼動中の録画装置に対して機能の追加や改善、またメンテナンスを日常的に実施する必要がある。ところが、一般的に監視用の録画装置は２４時間記録を行っており、記録動作を途絶えさせることなくソフトウェアを書き換えることは容易ではない。
【０００３】
特許文献１に記載されているマルチＣＰＵシステムでは、他のＣＰＵが実行する通常サービスに殆ど影響を与えることなく各ＣＰＵに対するソフトウェアのダウンロード処理が行われる。また、特許文献２に記載されている並列型監視制御システムでは、制御動作を停止させることなく夫々のコントローラのソフトウェアの更新が可能である。
【先行技術文献】
【特許文献】
【０００４】
【特許文献１】特開平１０−２６０８４５号公報
【特許文献２】特開２００６−３０９３４５号公報
【発明の概要】
【発明が解決しようとする課題】
【０００５】
ＣＰＵに記録されたソフトウェアを書き換える場合、ＣＰＵの動作を停止する必要があるが、２４時間の記録を保証する必要がある監視用の録画装置では、記録をとめてソフトウェアを書き換えることが出来ない。そのため、同等の製品を別途準備してソフトウェア書き換え中の記録を代行しなければならず、記録に必要なケーブルの接続や電源の接続などの煩雑な作業が必要となる。さらに、ソフトウェア更新中に別の製品が記録したデータは、外部のデバイスに記録しなおして保管するか、別の製品自体をしばらく保管するしかなく、ソフトウェアの書き換え前後とソフトウェアの書き換え中のデータを複数のデバイスで保存するしかない。
【０００６】
本発明は上述の問題点に鑑み、記録を停止することなくソフトウェアの更新が可能で、ソフトウェアの更新前後で記録データの連続性が確保される録画装置の提供を目的とする。
【課題を解決するための手段】
【０００７】
本発明の録画装置は、画像データと音声データの少なくとも一方を圧縮データとして圧縮する圧縮回路と、主記憶デバイスと、副記憶デバイスと、主記憶デバイスに圧縮データの記録を行うメインＣＰＵと、メインＣＰＵと同等の記録制御が可能に構成され、記録制御ソフトウェアの更新のために記録動作を停止するメインＣＰＵに代えて、副記憶デバイスに圧縮データを記録するサブＣＰＵと、を備え、メインＣＰＵは、記録制御ソフトウェアの更新が終了すると、圧縮データを副記憶デバイスに記録しつつ、副記憶デバイスに記録された圧縮データを主記憶デバイスに対し、既に主記憶デバイスに記録されている圧縮データとの連続性を保って転送し、副記憶デバイスから主記憶デバイスへの転送が終わると、主記憶デバイスに圧縮データを記録する。
【発明の効果】
【０００８】
本発明の録画装置は、主記憶デバイスと、副記憶デバイスと、主記憶デバイスに圧縮データの記録を行うメインＣＰＵと、メインＣＰＵと同等の記録制御が可能に構成され、記録制御ソフトウェアの更新のために記録動作を停止するメインＣＰＵに代えて、副記憶デバイスに圧縮データを記録するサブＣＰＵと、を備え、メインＣＰＵは、記録制御ソフトウェアの更新が終了すると、圧縮データを副記憶デバイスに記録しつつ、副記憶デバイスに記録された圧縮データを主記憶デバイスに対し、既に主記憶デバイスに記録されている圧縮データとの連続性を保って転送し、副記憶デバイスから主記憶デバイスへの転送が終わると、主記憶デバイスに圧縮データを記録する。これにより、圧縮データの記録をやめることなくソフトウェアが更新され、ソフトウェアの更新前後で記録された圧縮データの連続性が確保される。
【図面の簡単な説明】
【０００９】
【図１】実施の形態１の録画装置の構成図である。
【図２】実施の形態１の録画装置の構成図である。
【図３】実施の形態２の録画装置の構成図である。
【図４】実施の形態３の録画装置の構成図である。
【図５】実施の形態３の録画装置の構成図である。
【図６】実施の形態３の録画装置の構成図である。
【図７】実施の形態３の録画装置の構成図である。
【発明を実施するための形態】
【００１０】
（実施の形態１）
＜構成＞
図１は、実施の形態１の録画装置の構成を示すブロック図である。実施の形態１の録画装置は、少なくとも画像又は音声のうちいずれかを圧縮データとして圧縮する圧縮回路１、メインＣＰＵ２、メインＣＰＵ２の制御により圧縮データが記録される主記憶デバイス４を備えている。
【００１１】
監視用の録画装置では２４時間監視映像等の記録を続けてる必要があり記録動作を停止することは出来ない。そのため、メインＣＰＵ２のソフトウェアを更新する際の記録手段として、録画装置はサブＣＰＵ３、サブＣＰＵ３の制御により圧縮データが記録される副記憶デバイス５をさらに備える。
【００１２】
メインＣＰＵ２とサブＣＰＵ３は常時相互に通信を行い、互いの状態を監視している。また、記録に関する設定・運用の情報を共有している。
【００１３】
なお、主記憶デバイス４、副記憶デバイス５にはハードディスクドライブ（ＨＤＤ）６やフラッシュメモリ７を用いる事が出来る（図２参照）。
【００１４】
＜動作＞
通常は、メインＣＰＵ２が圧縮回路１で生成した画像や音声のデータ（圧縮データ）を主記憶デバイス４へ転送して記録している。メインＣＰＵ２のソフトウェア更新が要求されると、メインＣＰＵ２は動作を停止し主記憶デバイス４への記録も停止する。それと同時に、サブＣＰＵ３が副記憶デバイス５に圧縮データの記録を開始する。
【００１５】
サブＣＰＵ３が圧縮データの記録を副記憶デバイス５に開始すると、メインＣＰＵ２のソフトウェアの更新が開始する。更新が完了すると、メインＣＰＵ２が起動し通常モードに復帰するとともに、記録を停止していた期間に副記憶デバイス５に記録された圧縮データを、既に主記憶デバイス４に記録されている圧縮データとの連続性を保ちながら主記憶デバイス４へ転送する。同時にサブＣＰＵ３は副記憶デバイス５への記録を停止し、メインＣＰＵ２は副記憶デバイス５へ追記を開始する。
【００１６】
メインＣＰＵ２は副記憶デバイス５に記録されたデータを全て主記憶デバイス４へ転送した時点から、主記憶デバイス４に直接記録を開始する。
【００１７】
＜効果＞
本実施の形態の録画装置によれば、以下の効果を奏する。すなわち、本実施の形態の録画装置は、画像データと音声データの少なくとも一方を圧縮データとして圧縮する圧縮回路１と、主記憶デバイス４と、副記憶デバイス５と、主記憶デバイス４に圧縮データの記録を行うメインＣＰＵ２と、メインＣＰＵ２と同等の記録制御が可能に構成され、記録制御ソフトウェアの更新のために記録動作を停止するメインＣＰＵ２に代えて、副記憶デバイス５に圧縮データを記録するサブＣＰＵ３と、を備え、メインＣＰＵ２は、記録制御ソフトウェアの更新が終了すると、圧縮データを副記憶デバイス５に記録しつつ、副記憶デバイス５に記録された圧縮データを主記憶デバイス３に対し、既に主記憶デバイス３に記録されている圧縮データとの連続性を保って転送し、副記憶デバイス５から主記憶デバイス４への転送が終わると、主記憶デバイス４に圧縮データを記録する。これにより、記録を停止することなくソフトウェアの更新が可能で、且つソフトウェアの更新前後で記録データの連続性を確保することが出来る。
【００１８】
また、主記憶デバイス４及び副記憶デバイス５は、ＨＤＤまたは不揮発性メモリとする。このような構成によっても、上述した本実施の形態の録画装置の効果を奏する。
【００１９】
（実施の形態２）
＜構成＞
図３は、実施の形態２の録画装置の構成を示すブロック図である。本実施の形態の録画装置の構成は、図１にその構成を示した実施の形態１の録画装置とは副記憶デバイス５を備えない点が異なり、それ以外は同一である。
【００２０】
なお、主記憶デバイス４にはフラッシュメモリやＨＤＤを用いる事が出来る。
【００２１】
＜動作＞
メインＣＰＵ２は、圧縮回路１で生成した画像や音声のデータ（圧縮データ）を主記憶デバイス４へ転送して記録している。メインＣＰＵ２のソフトウェア更新が要求されると、メインＣＰＵ２は動作を停止し主記憶デバイス４への記録も停止する。それと同時に、サブＣＰＵ３が主記憶デバイス４に圧縮データの記録を開始する。
【００２２】
圧縮データがサブＣＰＵ３によって主記憶デバイス４に記録されると、メインＣＰＵ２のソフトウェアの更新が開始する。更新が完了すると、メインＣＰＵ２が起動し通常モードに復帰するとともに、主記憶デバイス５への記録を再開し、サブＣＰＵ３は記録を停止する。
【００２３】
＜効果＞
本実施の形態の録画装置によれば、以下の効果を奏する。すなわち、本実施の形態の録画装置は、画像データと音声データの少なくとも一方を圧縮データとして圧縮する圧縮回路１と、主記憶デバイス４と、主記憶デバイス４に圧縮データの記録を行うメインＣＰＵ２と、メインＣＰＵ２と同等の記録制御が可能に構成され、記録制御ソフトウェアの更新のために記録動作を停止するメインＣＰＵ２に代えて、主記憶デバイス４に圧縮データを記録するサブＣＰＵ３と、を備える。これにより、記録を停止することなくソフトウェアの更新が可能で、且つソフトウェアの更新前後で記録データの連続性を確保することが出来る。また、実施の形態１の録画装置と比べて、簡潔な構成である。
【００２４】
また、主記憶デバイス４は、ＨＤＤまたは不揮発性メモリである。このような構成によっても、上述した本実施の形態の録画装置の効果を奏する。
【００２５】
（実施の形態３）
＜構成＞
図４は、実施の形態３の録画装置の構成を示すブロック図である。図１にその構成を示した実施の形態１の録画装置の構成に加えて、メインＣＰＵ２、主記憶デバイス４に給電する第１給電手段としての主電源回路８と、圧縮回路１、サブＣＰＵ３及び副記憶デバイス５に給電する第２給電手段としての副電源回路９と、をさらに備える。
【００２６】
このように、サブ側とメイン側で電源回路を別々に設けることによって、メインＣＰＵ２のソフトウェアの更新において電源の再起動が必要であっても、サブＣＰＵ３は副電源回路９から給電されるため、圧縮データの記録を続けることが出来る。
【００２７】
なお、圧縮回路１、サブＣＰＵ３及び副記憶デバイス５への給電は、図５に示すように外部電源入力端子１０を通して外部電源装置から行うこととしても良い。停電によりメインＣＰＵ２と主記憶デバイス４への給電が停止しても、圧縮回路１、サブＣＰＵ３及び副記憶デバイス５は外部電源装置から給電されるため、サブＣＰＵ３によって圧縮データを副記憶デバイス５に記録することが出来る。停電から回復すると、メインＣＰＵ２は停電中に副記憶デバイス５に記録された圧縮データを、既に主記憶デバイス４に記録されている圧縮データとの連続性を保ちながら主記憶デバイス４へ転送する。同時にサブＣＰＵ３は副記憶デバイス５への記録を停止し、メインＣＰＵ２が副記憶デバイス５へ追記を開始する。メインＣＰＵ２は副記憶デバイス５に記録されたデータを全て主記憶デバイス４へ転送した時点から、主記憶デバイス４に直接記録を開始する。
【００２８】
このように、第２給電手段を外部電源入力端子１０とし、サブＣＰＵ３と副記憶デバイス５は外部電源装置から給電される構成とすることにより、停電の際にもサブＣＰＵ３によって副記憶デバイス５に圧縮データを記録することができ、装置全体として記録動作を続けることが出来る。もちろん、メインＣＰＵ２のソフトウェアの更新において電源の再起動が必要であっても、サブＣＰＵ３によって圧縮データの記録を続けることが出来る。
【００２９】
また、図６に示すように、第２給電手段はＬＡＮ端子又はＵＳＢ端子１１とし、ＬＡＮ端子に接続する外部装置からＰｏＥ（Ｐｏｗｅｒ  ｏｖｅｒ  Ｅｔｈｅｒｎｅｔ（登録商標））給電を行うか、ＵＳＢ端子に接続する外部装置から圧縮回路１、サブＣＰＵ３、副記憶デバイス５に給電する構成としても良い。このような構成によっても、メインＣＰＵ２のソフトウェアの更新において電源の再起動が必要な場合に、サブＣＰＵ３によって圧縮データの記録を続けることが出来る。
【００３０】
また、図７に示すように、第２給電手段はバッテリー１２であっても良い。このような構成によっても、メインＣＰＵ２のソフトウェアの更新において電源の再起動が必要な場合に、サブＣＰＵ３によって圧縮データの記録を続けることが出来る。
【００３１】
＜効果＞
本実施の形態によれば、既に述べたとおり以下の効果を奏する。すなわち、本実施の形態の録画装置は、メインＣＰＵ２と主記憶デバイス４に電源を供給する主電源回路８（第１給電手段）と、サブＣＰＵ３と副記憶デバイス５に電源を供給する副電源回路９（第２給電手段）と、を備える。これにより、メインＣＰＵ２のソフトウェアの更新において電源の再起動が必要な場合に、サブＣＰＵ３と副記憶デバイス４はメインＣＰＵとは別の回路により給電されるため、サブＣＰＵ３による記録動作を続けることができる。
【００３２】
また、第２給電手段は外部電源入力端子１０とする。これにより、録画装置が停電で停止したときも、圧縮回路１、サブＣＰＵ３、副記憶デバイス３で記録を継続することが出来る。
【００３３】
あるいは、第２給電手段はＬＡＮ端子又はＵＳＢ端子１１とする。このような構成によっても、メインＣＰＵ２のソフトウェアの更新において電源の再起動が必要な場合に、サブＣＰＵ３によって圧縮データの記録を続けることが出来る。
【００３４】
また、第２給電手段はバッテリー１２であっても良い。このような構成によっても、メインＣＰＵ２のソフトウェアの更新において電源の再起動が必要な場合に、サブＣＰＵ３によって圧縮データの記録を続けることが出来る。
【符号の説明】
【００３５】
１  圧縮回路、２  メインＣＰＵ、３  サブＣＰＵ、４  主記憶デバイス、５  副記憶デバイス、６  ハードディスク、７  フラッシュメモリ、８  主電源回路、９  副電源回路、１０  外部電源入力端子、１１  ＬＡＮ端子（ＵＳＢ端子）、１２  バッテリー。
【図１】
0005546835.tif 000002
【図２】
0005546835.tif 000003
【図３】
0005546835.tif 000004
【図４】
0005546835.tif 000005
【図５】
0005546835.tif 000006
【図６】
0005546835.tif 000007
【図７】
0005546835.tif 000008